(57)【要約】【課題】容器１の排出口３に取り付けられて操作性がよく、組み立て容易にすること。【解決手段】排出口３に設けられた凸形状ゴミ捕集装置１０の網５と、網５に取り付けられた縁金６と、縁金６により抜け止めされたバネ９からなり、バネ９の一部が網５を上方弾性部２０により付勢し、かつ、他の一部が、排出口３に挿入し固定される下方弾性部２１で構成することにより、組み立てを簡素化し、かつ、バネの取り付け荷重を適切に設定することができる。【選択図】図１
2005288402.tif 000002
【特許請求の範囲】
【請求項１】
液体を収納する容器と、前記容器より外部へ液体を導く排出口に設けられた凸形状の網と、前記網に固定された縁金と、前記縁金により抜け止めされたバネとからなるゴミ捕集装置において、前記バネの一部が上方弾性部により前記網を付勢し、かつ下方弾性部を前記排出口に挿入し固定されているゴミ捕集装置。
【請求項２】
ゴミ捕集網に取り付けられたバネの下方弾性部に設けられた係合部は、容器排出口の内径面に設けた突起部を乗り越えて取り付けられる請求項１に記載のゴミ捕集装置。
【請求項３】
バネ形状は、線材の底巻き部をＵまたはＶ字形状に巻き曲げ、さらにその両側を前記巻き曲げ部の反対側に巻き曲げたのちに端部を縁金で抜け止めされた請求項1に記載のゴミ捕集装置。
【請求項４】
バネ形状は、線材の底巻き部をＵまたはＶ字形状に巻き曲げ、容器排出口の内径面に設けた突起部への係合部を形成するとともに、ゴミ捕集網にセットしたときに縁金に当接する接触部を形成したのちに、両側を前記巻き曲げ部の反対側に巻き曲げたのちに端部を縁金で抜け止めされた請求項１に記載のゴミ捕集装置。
【請求項５】
縁金は、底面に略四角形の孔を設けた請求項４に記載のゴミ捕集装置。
【請求項６】
バネ形状は、ゴミ捕集網にセットしたとき、平面上で巻き曲げられているバネの傾き方向に対して線材の両端部を対称方向に曲げ起こし加工した請求項３または４に記載のゴミ捕集装置。
【発明の詳細な説明】
【技術分野】
【０００１】
本発明は、液体容器の排出口に嵌着されるゴミ捕集装置に関するものである。
【背景技術】
【０００２】
従来、この種のゴミ捕集装置は、容器より導出した排出口を同容器内より覆うフィルターに設けられている出湯路の内壁に弾接する線状のバネより着脱自在に取り付けられていた（例えば、特許文献１参照）。
【０００３】
図７及び図８は、特許文献１に記載された従来のゴミ捕集装置を示すものである。容器１０１と、出湯路１０５と、パイプ１０６と、フィルター体１０９と、バネ１１３と、巻回部１１４と、曲げ部１１５から構成されている。
【特許文献１】特許第２８８０５２１号公報
【発明の開示】
【発明が解決しようとする課題】
【０００４】
しかしながら、前記従来の構成では、フィルター体１０９への取り付け用バネ１１３は、その両端脚先端部をフィルター体１０９の下方開口よりに挿入し貫通孔１０９ａに嵌入させ組み立てなければならないため、組み立てに大変手間がかかるという課題を有していた。また、バネ１１３の取り付け部の強度を確保するためには、バネ１１３の線材の直径を大きくすることが必要になるため、バネ１１３のＵ字状部をパイプ６内に挿入させ内壁面に曲げ部１１５を弾接する荷重が大きくなり、その結果フィルター体１０９の着脱するための荷重も大きくなり、操作性を悪化させるという課題を有していた。さらに、着脱力が大きいため、フィルター体１０９底面が容器１０１の表面にいたるまで押し込まれずに途中で止めて取り付けられた場合は隙間ができるので、ゴミを収集する本来の目的を果たすことができなくなるという課題を有していた。
【０００５】
本発明は、前記従来の課題を解決するもので、フィルター体１０９とバネ１１３の組み立てを簡素化し、かつ、バネ取り付け部の強度（バネ１１３の線材の直径）に関係なく荷重を適切に設定することができ、かつ、使用者にゴミ捕集装置の設置状態が確実であるかを知らしめることができるようにしたゴミ捕集装置を提供することを目的とする。
【課題を解決するための手段】
【０００６】
前記従来の課題を解決するために、本発明のゴミ捕集装置は、容器の排出口に設けられた凸形状網と、前記網に固定された縁金と、前記縁金により抜け止めされたバネからなるゴミ捕集装置において、前記バネの一部が前記網を上方弾性部により付勢し、かつ前記排出口に挿入し固定される下方弾性部で構成することにより、網にバネを固定するようにしたものである。
【０００７】
これによって、バネの組み立てを簡素化しかつ、バネの網への取り付けを線材の弾性による付勢で行うことにより、バネの取り付け荷重を適切に設定することができ、使用者に適切なゴミ捕集装置の着脱力を提供するようにしたものである。
【０００８】
また、本発明のゴミ捕集装置はバネ下方弾性部に設けられた係合部が容器排出口の内径面に設けた突起部を乗り越えて取り付けられるようにすることにより、網にバネを固定するときに、ゴミ捕集装置挿抜時の荷重を急激に変わる位置を設けるようにしたものである。
【０００９】
これによって、使用者にゴミ捕集装置の設置状態が確実であるかを知らしめることができるためゴミ捕集装置は、確実に容器の排出口に配置され、確実にごみの収集ができるようにしたものである。
【発明の効果】
【００１０】
本発明のゴミ捕集装置は、組み立てを簡素化しかつ、バネ取り付けを線材の弾性による付勢で行うことにより、排出口に取り付けるためのバネの取り付け荷重を適切に設定することで、使用者に着脱性のよいゴミ捕集装置を提供することができる。
【発明を実施するための最良の形態】
【００１１】
第１の発明は、液体を収納する容器より外部へ液体を導く排出口に設けられた凸形状の網と、前記網に固定された縁金と、前記縁金により抜け止められたバネとからなるゴミ捕集装置において、前記バネの一部が上方弾性部により前記網を付勢し、かつ、下方弾性部を前記排出口に挿入し固定されていることにより、組み立てを簡素化し、かつ、バネ取り付けを線材の弾性による付勢で行うことにより、バネの取り付け荷重を適切に設定することができる。
【００１２】
第２の発明は、特に、第１の発明のゴミ捕集網に取り付けられたバネの下方弾性部に設けられた係合部を、容器排出口の内径面に設けた突起部を乗り越えて取り付けられるようにすることにより、ゴミ捕集装置挿抜時の荷重を急激に変わる位置を設けることになるので、使用者にゴミ捕集装置の設置状態が確実であるかを知らしめることができる。
【００１３】
第３発明は、特に、第１の発明のバネ形状を、線材の底巻き部をＵまたはＶ字形状に巻き曲げ、さらにその両側を前記底巻き部の反対側に巻き曲げたのちに端部を縁金で抜け止めされた形状とすることにより、組み立て性のよい容易な形状を提供することができる。
【００１４】
第４の発明は、特に、第１の発明のバネ形状を、線材の底巻き部をＵまたはＶ字形状に巻き曲げ、容器排出口の内径面に設けた突起部への係合部を形成するとともに、ゴミ捕集網にセットしたときに縁金に当接する接触部を形成したのちに、両側を前記巻き曲げ部の反対側に巻き曲げたのちに端部を縁金で抜け止めされた形状とすることにより、排出口にセットされていないときに、網に取り付けたバネのガタツキを防止することができる。
【００１５】
第５の発明は、特に、第４の発明の縁金を、底面に略四角形の穴を設けたことにより、バネの容器排出口の内径に係合する下方弾性部をゴミ捕集装置の中央によせることで、取り付けを容易にすることができる。
【００１６】
第６の発明は、特に、第３または第４の発明のバネ形状を、ゴミ捕集網にセットしたとき、平面上で巻き曲げられているバネの傾き方向に対して線材の端部を対称方向に曲げ起こし加工とすることにより、縁金でバネの縁金を支点にする傾きを防止し、使用者がゴミ捕集装置を容器排出口に取り付けるときバネの中心線に対する傾きを防止することで、取り付けを容易にすることができる。
【００１７】
以下、本発明の実施例の形態について、図面を参照にしながら説明する。なお、この実施の形態によって本発明が限定されるものではない。
【００１８】
（実施の形態１）
図１は、本発明の第１の実施の形態のゴミ捕集装置１０の取り付け状態断面図、図２はゴミ捕集装置１０近傍の詳細拡大図である。
【００１９】
図１、図２に示したゴミ捕集装置１０は、容器１の底壁２に設けられた排出口３に取り付けられるものである。ゴミ捕集装置１０は、凸形状の網５の下端周縁を縁金６により挾着してかしめたものである。このかしめ部２５はゴミ捕集装置１０取り付け時に、容器１の底壁２に配置される。縁金６の下部は排出口３と略相似形に絞り形成され、それと排出口３との隙間Ｘは網５の開口隙間Ｙと同等以下の大きさとしている。
【００２０】
底面にはひし形孔部７とフランジ８が設けられている。バネ９は線材を巻き曲げて加工している。
【００２１】
容器１の底壁２より一体に絞り加工を施し、その加工により形成される底面に丸穴１１を設けることで排出口３内に突起部１２を設けている。導水路１３は排出口より容器１内の液体を外部に放出するポンプ２４を有し、パッキン１４によりポンプ２４と接続されている。容器１の底面には容器１内の液体を加熱するための加熱手段２８が配置されている。
【００２２】
図３はバネ９がゴミ捕集装置１０に取り付ける前の状態、つまり、無負荷である状態を示している。バネ９は、線材の底巻き部１５をＶ字形状に巻き曲げ、導水路１３との接触部２２、突起部１２との傾斜を有する係合部１６、縁金６への平行なひし形孔部７との接触部１７を形成したのちに、その両側を底巻き部１５の反対側に網５に沿うようなＵ字形状の巻き曲げ部１８、さらに巻き曲げ部１８からのびる腕２７の各端部をバネの巻き方向に対して対称方向に曲げ起こし加工した、曲げ起こし部１９を持った形状に加工されている。
【００２３】
図４は、部品のバネ９をゴミ捕集装置１０にセットする状態図、図５は、縁金６を部分的に断面にしたゴミ捕集装置１０の斜視図、図６は、ゴミ捕集装置１０を下方から見た斜視図である。
【００２４】
図４に示すようにバネ９の腕２７を線材の塑性領域で変形させて、ゴミ捕集装置１０のひし形孔部７より挿入すると、ゴミ捕集網４の内側において縁金６のフランジ８に曲げ起こし部１９がのりあげ取り付けられる。このとき、Ｕ字形状の巻き曲げ部１８はゴミ捕集装置１０の形状の接触部分で力Ｆ３（図２に示す）により付勢されるので、上方弾性部２０（図５に示す）を形成し、網５への取り付けを確実に行うことになる。また、フランジ８より下部の底巻き部１５はバネ９が縁金６に取り付けられることにより下方弾性部２１（図５に示す）を形成する。縁金６のひし形孔部７により、ひし形孔部７との接触部１７は、バネ９自身の付勢力でひし形の接触面で付勢方向ａに付勢され（図６に示す）、ひし形のコーナー部２６に配置されるように設定されている。この作用により、ひし形孔部７との接触部１７が縁金６のひし形孔部７に確実に接触し付勢され、ゴミ捕集装置１０のバネ９を所定位置に配置することができる。また、バネ９の巻き方向に対して対称方向に曲げ起こし加工した、曲げ起こし部１９をフランジ８に当接させることで、バネ９が縁金６を支点に傾くガタツキ（ガタ方向Ａ、図５に示す）を制限している。
【００２５】
以上のように構成された、ゴミ捕集装置１０について、以下その動作、作用を説明する。
【００２６】
バネ９を装着したゴミ捕集装置１０は、縁金６のひし形孔部７のコーナー部２６にひし形孔部７との接触部１７が配置し、かつ、接触により付勢されることで、バネ９の下方弾性部２１の左右のずれ（ガタ方向Ｂ、図６に示す）をゴミ捕集装置１０の中央に配置するように設定されている。また、バネ９の巻き方向に対して対称方向に曲げ起こし加工した、曲げ起こし部１９がフランジ８に当接しているために、バネ９の縁金を支点にする傾きを制限しているために装着時に排出口３をめがけて容易に取り付けが行うようにしている。
【００２７】
図２において、まず、ゴミ捕集装置１０の容器１の排出口３への取り付けは、バネ９の下方弾性部２１を排出口３に挿入し、押し込むと、排出口３内の突起部１２を導水路１３との接触部２２が乗り越えたあとに、導水路１３の内径面にＦ１の力で付勢され固定される。
【００２８】
導水路１３との接触部２２が突起部１２を乗り越えるときに、下方弾性部２１を付勢する力は急激に低下する変化が起こる。
【００２９】
使用者は、ゴミ捕集装置１０を排出口３に挿入して設置するが、この挿入荷重（挿入力）の変化により、使用者に、取り付けが確実に行なわれたかを知らしめることができる。また、導水路１３との接触部２２が突起部１２を乗り越えて取り付けられることにより、突起部１２との係合部１６が、所定位置に配置されることにより容易にゴミ捕集装置１０が外れないようになっている。ゴミ捕集装置１０の差込位置は、縁金６のかしめ部２５が容器１の底壁２に当接することで規制している。
【００３０】
バネ９の下方弾性部２１荷重Ｆ１は、上方弾性部２０のゴミ捕集網４付勢荷重Ｆ３よりも小さく設定されており、底巻き部１５の形状で調整することが可能である。本実施例では下方弾性部２１の曲げ半径Ｒの大きさにより力点Ａと支点Ｂの関係を調整することで適正な荷重を設定している。また、この荷重は、Ｆ３＞Ｆ１であるため保持力の方が大きいので、ゴミ捕集装置１０の保持には大きな影響を受けない。また、ゴミ捕集装置１０が、排出口３へ取り付けられているときは、バネ９の下方弾性部２１は、下半分は内向きの力Ｆ１を受け、その力によって上方弾性部２０は同方向Ｆ２の力を受ける。その結果、巻き曲げ部１８はゴミ捕集装置１０をＦ２で付勢するので、合力Ｆ１＋Ｆ２となり、付勢力は増加され、ゴミ捕集装置１０を保持している。
【００３１】
また、縁金６の下部が排出口３と略相似形に絞り形成されているため、バネ９の取り付けガタが発生しても、突起部１２と係合部１６との隙間Ｚを縁金６の絞り高さＨよりも小さく設定することで、縁金６と排出口３の隙間Ｘの確保が可能となり、排出口３とゴミ捕集装置１０（縁金６）との隙間Ｘと同等以上の大きさの網５の開口隙間Ｙよりも大きなゴミが隙間Ｘから導水路１３に浸入されることはない。
【００３２】
ゴミ捕集装置１０の取りはずし時は、ゴミ捕集装置１０の網５を持ち、上に引き上げて、突起部１２を係合部１６の傾斜部を乗り上げさせることで、使用者にゴミ捕集装置の取りはずしが確実に行なわれたかを知らしめることができる。このときの引き上げ荷重は導水路１３との接触部２２との段差Ｄ、係合部１６の傾斜角度Ｅにより設定できる。
【００３３】
また、この引き上げ荷重は、保持の付勢力Ｆ３＞突起部１２を係合部１６の傾斜部をのりあげさせる荷重であるため、ゴミ捕集装置１０の保持にはほとんど関係しない。
【００３４】
以上のように本実施の形態ではバネ９の一部がゴミ捕集装置１０を上方弾性部２０により付勢し、かつ、他の一部が、排出口３に挿入し固定される下方弾性部２１で構成することにより、組み立てを簡素化しかつ、バネの取り付け荷重を適切に設定することができる。
【００３５】
また本実施の形態では、バネ９の下方弾性部２１に設けられた係合部１６が排出口３の内径面に設けた突起部１２を乗り越えて取り付けられるようにすることにより、ゴミ捕集装置１０挿抜時の荷重を変化する位置を設け、使用者にゴミ捕集装置１０が確実に取り付けられているか知らしめることができる。
【００３６】
また、本実施の形態では、バネ９の底巻き部１５をＶ字形状に巻き曲げ、さらにその両側を巻き曲げ部１５の反対側にＵ字形状の巻き曲げ部１８を縁金６のフランジ８で抜け止めする形状とすることにより、組み立て性のよい容易な形状を提供することができる。
【００３７】
また、本実施の形態では、バネ９の底巻き部１５をＶ字形状に巻き曲げ、排出口３の内径面に設けた突起部１２への係合部を形成するとともに、ゴミ捕集網４部の縁金６にセットしたときに縁金６へのひし形孔部７との接触部１７を形成したのちに、両端を巻き曲げ部１５の反対側にＵ字形状に巻き曲げた端部１９を縁金６で抜け止めする形状とすることにより、バネ９を縁金６のひし形孔部７に確実に接触させ付勢することで、ガタツキを防止することができる。
【００３８】
また、本実施の形態では、縁金６底面にひし形孔部７を設けることにより、バネ９を中央によせることで、取り付けを容易にすることができる。
【００３９】
また、本実施の形態では、バネ９を縁金６にセットしたとき、平面上で巻き曲げられているバネ９の傾き方向に対して線材の端部を対称方向に曲げ起こし加工とすることにより、縁金６でバネ９の縁金を支点にする傾きを防止し、使用者がゴミ捕集装置を容器排出口に取り付けるときバネの中心線に対する傾きを防止することで、取り付けを容易にすることができる。
【産業上の利用可能性】
【００４０】
以上のように、本発明にかかるゴミ捕集装置は、組み立てを簡素化しかつ、バネ取り付けを線材の弾性による付勢で行うことにより、排出口に取り付けるためのバネの取り付け荷重を適切に設定することで、使用者に着脱性のよいゴミ捕集装置の提供が可能となるので、液体を貯水する容器から、外部へ導く排出口を有する、電気湯沸かし器、貯水槽、やかん、急須等の機器の用途にも適用できる。
【図面の簡単な説明】
【００４１】
【図１】本実施例のゴミ捕集装置の取り付け状態断面図
【図２】本実施例のゴミ捕集装置近傍の詳細拡大図
【図３】本実施例のバネ無負荷状態を示す図
【図４】本実施例のバネをゴミ捕集装置へセットをする状態図
【図５】本実施例の縁金を部分的に断面したゴミ捕集装置の斜視図
【図６】本実施例のゴミ捕集装置を下からみた斜視図
【図７】従来のゴミ捕集装置の取り付け状態断面図
【図８】従来の電気湯沸し器の部分断面図
【符号の説明】
【００４２】
１  容器
３  排出口
５  網
６  縁金
７  ひし形孔部
９  バネ
１０  ゴミ捕集装置
１２  突起部
１３  導水路
１５  底巻き部
１６  係合部
１７  ひし形孔部との接触部(縁金に当接する接触部)
１８  巻き曲げ部
１９  曲げ起こし部
２０  上方弾性部
２１  下方弾性部
２２  導水路との接触部
【図１】
2005288402.tif 000003
【図２】
2005288402.tif 000004
【図３】
2005288402.tif 000005
【図４】
2005288402.tif 000006
【図５】
2005288402.tif 000007
【図６】
2005288402.tif 000008
【図７】
2005288402.tif 000009
【図８】
2005288402.tif 000010